(57)【要約】 【課題】  献血登録者のランク付けによる適正な献血依頼配信等を達成する。【解決手段】  血液提供管理団体のメール・記録機能付携帯電話機等１２から献血依頼の配信要求を無線端末管理システム１４に対して送信する。無線端末管理システム１４は、既登録献血者それぞれの個人情報及び血液情報、献血依頼の要求情報に基づいてＩＤを付与する。そのＩＤに基づいて献血依頼の配信をシステム１４から携帯電話機等１６に行う。携帯電話機等１６の血液提供者によって献血された血液を封入する容器にＩＤが付されて血液提供管理団体に輸送されると共に、そのＩＤが携帯電話機等１８から血液提供管理団体の携帯電話機等１２に送信される。容器から読み取られたＩＤと、携帯電話機等１８からのＩＤと、システム１４から送信済のＩＤとの照合結果に基づいて血液の提供を行う。【選択図】      図１
2006040147.tif 000002
【特許請求の範囲】
【請求項１】
血液提供管理団体の発信端末装置から端末管理システムに対して献血依頼の発信を行い、
前記献血依頼を受信した前記端末管理システムで登録者毎のランク付けを表す識別情報を付与し、
付与された識別情報に基づいて、前記登録者がアクセス可能な端末装置に対して前記献血依頼の配信を行うことを特徴とする献血依頼配信方法。
【請求項２】
前記端末管理システムは、前記端末装置との接続が可能な通信網内に構築されることを特徴とする請求項１記載の献血依頼配信方法。
【請求項３】
前記識別情報は、前記登録者の個人情報及び血液情報並びに前記配信依頼に含まれる血液の血液型及び総量からなるランク付け要素に基づいて決定されることを特徴とする請求項１又は２記載の献血依頼配信方法。
【請求項４】
前記識別情報は、前記ランク付け要素に応じて固定又は可変であることを特徴とする請求項３記載の献血依頼配信方法。
【請求項５】
血液提供管理団体の発信端末装置から端末管理システムに対して献血依頼の発信を行い、
前記献血依頼を受信した前記端末管理システムで登録者毎のランク付けを表す識別情報を付与し、
付与された識別情報に基づいて、前記登録者がアクセス可能な端末装置に対して前記献血依頼の配信を行い、
配信を受けた前記登録者によって献血された血液を入れた容器に当該献血者対応の前記識別情報を付すると共に、当該識別情報を前記血液提供管理団体の受信端末装置に返信し、
前記血液提供管理団体において前記容器から読み取られる前記識別情報と前記受信端末装置に返信されて来た前記識別情報とに基づいて前記容器の血液の輸血施行者への提供を行うことを特徴とする血液管理方法。
【請求項６】
前記端末管理システムは、前記端末装置との接続が可能な通信網内に構築されることを特徴とする請求項５記載の血液管理方法。
【請求項７】
前記識別情報は、前記登録者の個人情報及び血液情報並びに前記配信依頼に含まれる血液の血液型及び総量からなるランク付け要素に基づいて決定されることを特徴とする請求項５又は６記載の血液管理方法。
【請求項８】
前記識別情報は、前記ランク付け要素に応じて固定又は可変であることを特徴とする請求項７記載の血液管理方法。
【請求項９】
前記識別情報は、前記提供において、前記登録者の同定と前記容器の仕分けに用いることを特徴とする請求項５、６、７又は８記載の血液管理方法。
【請求項１０】
登録者の個人情報及び血液情報を管理する端末管理システムと、
前記端末管理システムに対して献血依頼の発信を行う血液提供管理団体の発信端末装置と、
前記登録者の端末装置を備え、
前記端末管理システムは、前記発信端末装置から受信した前記献血依頼と、前記登録者の前記個人情報及び前記血液情報とに基づいて、前記登録者毎のランク付けを表す識別情報を付与し、
付与された識別情報に基づいて、前記登録者の前記端末装置に対して前記献血依頼の配信を行うことを特徴とする献血依頼配信システム。
【請求項１１】
前記端末管理システムは、前記端末装置との接続が可能な通信網内に構築されることを特徴とする請求項１０記載の献血依頼配信システム。
【請求項１２】
前記識別情報は、前記登録者の個人情報及び血液情報並びに前記配信依頼に含まれる血液の血液型及び総量からなるランク付け要素に基づいて決定されることを特徴とする請求項１０又は１１記載の献血依頼配信システム。
【請求項１３】
前記識別情報は、前記ランク付け要素に応じて固定又は可変であることを特徴とする請求項１２記載の献血依頼配信システム。
【請求項１４】
登録者の個人情報及び血液情報を管理する端末管理システムと、
前記端末管理システムに対して献血依頼の発信を行う血液提供管理団体の発信端末装置と、
前記登録者の端末装置と、
血液を入れる容器に識別情報を付する付与手段と、
献血会場に設置される送信端末装置と、
前記血液提供管理団体の受信端末装置と、
前記血液提供管理団体の血液チェック手段とを備え、
前記端末管理システムは、前記発信端末装置から受信した前記献血依頼と、前記登録者の前記個人情報及び前記血液情報とに基づいて、前記登録者毎のランク付けを表す識別情報を付与し、付与された識別情報に基づいて、前記登録者の前記端末装置に対して前記献血依頼の配信を行い、
前記付与手段は、配信を受けた前記登録者によって献血された血液を入れた前記容器に当該献血者対応の前記識別情報を付し、
前記送信端末装置は、前記容器に付された前記識別情報を前記血液提供管理団体の受信端末装置に返信し、
前記血液チェック手段は、前記容器から読み取られる前記識別情報と、前記端末管理システムから返信されて来た前記識別情報と、前記受信端末装置に返信されて来た前記識別情報に基づいて前記容器の血液の輸血施行者への提供のためのチェックを行うことを特徴とする血液管理システム。
【請求項１５】
前記端末管理システムは、前記端末装置との接続が可能な通信網内に構築されることを特徴とする請求項１４記載の血液管理システム。
【請求項１６】
前記献血依頼に前記登録者のリストが含まれることを特徴とする請求項１４又は１５記載の血液管理システム。
【請求項１７】
前記識別情報は、前記登録者の個人情報及び血液情報並びに前記配信依頼に含まれる血液の血液型及び総量からなるランク付け要素に基づいて決定されることを特徴とする請求項１４、１５又は１６記載の血液管理システム。
【請求項１８】
前記識別情報は、前記ランク付け要素に応じて固定又は可変であることを特徴とする請求項１７記載の血液管理システム。
【請求項１９】
前記識別情報は、前記提供において、前記登録者の同定と前記容器の仕分けに用いることを特徴とする請求項１４乃至１８のいずれか一に記載の血液管理システム。
【発明の詳細な説明】
【技術分野】
【０００１】
この発明は、献血依頼配信方法及びそのシステム並びに血液管理方法及びそのシステムに関し、詳しくは献血依頼配信を適切に行うことのできる献血依頼配信方法及びそのシステム並びに適切な献血依頼配信で血液の提供を適切に行うことのできる血液管理方法及びそのシステムに関する。
【背景技術】
【０００２】
従来における献血の依頼は、葉書等のダイレクトメールで依頼することが多く、効率が悪く、コストも高く付いていた。
そして、献血をすると献血手帳が交付されるが、東京の献血会場で献血を行った後、大阪の献血会場で献血を行った場合、東京の献血会場と大阪の献血会場との双方から献血依頼の葉書が届くなど、無駄なコストが掛かってしまっている。
さらに、１０回の献血毎に、新しい献血手帳の発行が必要であることに加えて、献血手帳忘れの場合には、新しい複数の献血手帳を所持する必要があることとなり、献血手帳の管理が煩雑になるばかりか、コスト的にも高く付くこととなっていた。
【０００３】
このような問題を解決する技術的手段の例として、特許文献１に記載される技術がある。
この技術は、インターネット上のドナー仮登録サイトに血液等の提供希望者がドナー仮登録を行うと、その受け付けをした情報処理センターは、受け付けた仮登録データの情報処理、すなわち、個人情報の検索可能な分類処理を行う。この情報処理が行われると、その仮登録者の血液型等の情報が仮登録者情報通知手段によってドナー登録機関に通知されて血液等の提供に供するドナー登録支援システムに係る技術である。
この技術は、ドナー仮登録サイトへの気軽なアクセスを可能にしてドナー仮登録数の増加を促し、その結果としてドナー本登録数の増大を図り、ドナー不足の解消を企図するものである。
【０００４】
また、上述の問題を解消する他の技術的手段の例として、特許文献２に記載される技術がある。
この技術は、献血希望者の血液型及び電子メールアドレスを含む献血希望者情報が予め献血希望者データベース、例えば、インターネット網に接続可能なデータベースに格納されており、その献血希望者データベースの献血希望者の電子メールアドレスを献血依頼制御手段が読み出し、献血依頼の電子メールを電子メールサーバ、例えば、インターネット網に接続可能な電子メールサーバから献血希望者が所有する携帯電話機や電子メール送受信用の情報端末に送信する献血依頼電子メール送信システムに係る技術である。
この技術は、献血希望者が自身の献血希望者情報をデータベースに登録しておき、献血が必要なとき、データベースから必要な条件を満たす、すなわち、血液型である献血希望者を抽出してその献血希望者に献血依頼の電子メールを送信するものである。
【０００５】
【特許文献１】特開２００２−１９７１９５号公報
【特許文献２】特開２００４−１２６６４３号公報
【発明の開示】
【発明が解決しようとする課題】
【０００６】
しかしながら、特許文献１は、上述のように、インターネット上のドナー仮登録サイトに血液等の提供希望者がドナー仮登録を行うことに応答した情報処理センターにおいて、受け付けた仮登録データの情報処理、すなわち、個人情報の検索可能な分類処理を行い、この情報処理の対象となった仮登録者についての血液型等の情報が仮登録者情報通知手段によってドナー登録機関に通知されて血液等の提供に供されるが、例えば、血液について言えば、個人情報の分類処理が情報処理センターで行われるだけであるから、仮登録者への電子メールの送信が行うことができるとは言っても、献血要求の発生時に適切な電子メールの配信に難しさが伴う。
【０００７】
特許文献２についても、ほぼ同様のことが言える。すなわち、献血希望者が自身の献血希望者情報をデータベースに登録しておき、献血が必要なとき、献血依頼制御手段であるコンピュータ端末から血液型を入力すると、その血液型と一致する血液型の登録者を抽出してその登録者が所有する携帯電話機等に献血依頼の電子メールを送信するに過ぎないからである。
【０００８】
この発明は、上述の事情に鑑みてなされたもので、献血要求の発生時に適切な献血依頼の配信を行い得る献血依頼配信方法及びそのシステム並びにその配信を受けて血液の適切な提供を行い得る血液管理方法及びそのシステムを提供することを目的としている。
【課題を解決するための手段】
【０００９】
上記課題を解決するために、請求項１記載の発明は、献血依頼配信方法に係り、血液提供管理団体の発信端末装置から端末管理システムに対して献血依頼の発信を行い、上記献血依頼を受信した上記端末管理システムで登録者毎のランク付けを表す識別情報を付与し、付与された識別情報に基づいて、上記登録者がアクセス可能な端末装置に対して上記献血依頼の配信を行うことを特徴としている。
【００１０】
請求項２記載の発明は、請求項１記載の献血依頼配信方法に係り、上記端末管理システムは、上記端末装置との接続が可能な通信網内に構築されることを特徴としている。
【００１１】
請求項３記載の発明は、請求項１又は２記載の献血依頼配信方法に係り、上記識別情報は、上記登録者の個人情報及び血液情報並びに上記配信依頼に含まれる血液の血液型及び総量からなるランク付け要素に基づいて決定されることを特徴としている。
【００１２】
請求項４記載の発明は、請求項３記載の献血依頼配信方法に係り、上記識別情報は、上記ランク付け要素に応じて固定又は可変であることを特徴としている。
【００１３】
請求項５記載の発明は、血液管理方法に係り、血液提供管理団体の発信端末装置から端末管理システムに対して献血依頼の発信を行い、上記献血依頼を受信した上記端末管理システムで登録者毎のランク付けを表す識別情報を付与し、付与された識別情報に基づいて、上記登録者がアクセス可能な端末装置に対して上記献血依頼の配信を行い、配信を受けた上記登録者によって献血された血液を入れた容器に当該献血者対応の上記識別情報を付すると共に、当該識別情報を上記血液提供管理団体の受信端末装置に返信し、上記血液提供管理団体において上記容器から読み取られる上記識別情報と上記受信端末装置に返信されて来た上記識別情報とに基づいて上記容器の血液の輸血施行者への提供を行うことを特徴としている。
【００１４】
請求項６記載の発明は、請求項５記載の血液管理方法に係り、上記端末管理システムは、上記端末装置との接続が可能な通信網内に構築されることを特徴としている。
【００１５】
請求項７記載の発明は、請求項５又は６記載の血液管理方法に係り、上記識別情報は、上記登録者の個人情報及び血液情報並びに上記配信依頼に含まれる血液の血液型及び総量からなるランク付け要素に基づいて決定されることを特徴としている。
【００１６】
請求項８記載の発明は、請求項７記載の血液管理方法に係り、上記識別情報は、上記ランク付け要素に応じて固定又は可変であることを特徴としている。
【００１７】
請求項９記載の発明は、請求項５、６、７又は８記載の血液管理方法に係り、上記識別情報は、上記提供において、上記登録者の同定と上記容器の仕分けに用いることを特徴としている。
【００１８】
請求項１０記載の発明は、献血依頼配信システムに係り、登録者の個人情報及び血液情報を管理する端末管理システムと、上記端末管理システムに対して献血依頼の発信を行う血液提供管理団体の発信端末装置と、上記登録者の端末装置を備え、上記端末管理システムは、上記発信端末装置から受信した上記献血依頼と、上記登録者の上記個人情報及び上記血液情報とに基づいて、上記登録者毎のランク付けを表す識別情報を付与し、付与された識別情報に基づいて、上記登録者の上記端末装置に対して上記献血依頼の配信を行うことを特徴としている。
【００１９】
請求項１１記載の発明は、請求項１０記載の献血依頼配信システムに係り、上記端末管理システムは、上記端末装置との接続が可能な通信網内に構築されることを特徴としている。
【００２０】
請求項１２記載の発明は、請求項１０又は１１記載の献血依頼配信システムに係り、上記識別情報は、上記登録者の個人情報及び血液情報並びに上記配信依頼に含まれる血液の血液型及び総量からなるランク付け要素に基づいて決定されることを特徴としている。
【００２１】
請求項１３記載の発明は、請求項１２記載の献血依頼配信システムに係り、上記識別情報は、上記ランク付け要素に応じて固定又は可変であることを特徴としている。
【００２２】
請求項１４記載の発明は、血液管理システムに係り、登録者の個人情報及び血液情報を管理する端末管理システムと、上記端末管理システムに対して献血依頼の発信を行う血液提供管理団体の発信端末装置と、上記登録者の端末装置と、血液を入れる容器に識別情報を付する付与手段と、献血会場に設置される送信端末装置と、上記血液提供管理団体の受信端末装置と、上記血液提供管理団体の血液チェック手段とを備え、上記端末管理システムは、上記発信端末装置から受信した上記献血依頼と、上記登録者の上記個人情報及び上記血液情報とに基づいて、上記登録者毎のランク付けを表す識別情報を付与し、付与された識別情報に基づいて、上記登録者の上記端末装置に対して上記献血依頼の配信を行い、上記付与手段は、配信を受けた上記登録者によって献血された血液を入れた上記容器に当該献血者対応の上記識別情報を付し、上記送信端末装置は、上記容器に付された上記識別情報を上記血液提供管理団体の受信端末装置に返信し、上記血液チェック手段は、上記容器から読み取られる上記識別情報と、上記端末管理システムから返信されて来た上記識別情報と、上記受信端末装置に返信されて来た上記識別情報に基づいて上記容器の血液の輸血施行者への提供のためのチェックを行うことを特徴としている。
【００２３】
請求項１５記載の発明は、請求項１４記載の血液管理システムに係り、上記端末管理システムは、上記端末装置との接続が可能な通信網内に構築されることを特徴としている。
【００２４】
請求項１６記載の発明は、請求項１４又は１５記載の血液管理システムに係り、上記献血依頼に上記登録者のリストが含まれることを特徴としている。
【００２５】
請求項１７記載の発明は、請求項１４、１５又は１６記載の血液管理システムに係り、上記識別情報は、上記登録者の個人情報及び血液情報並びに上記配信依頼に含まれる血液の血液型及び総量からなるランク付け要素に基づいて決定されることを特徴としている。
【００２６】
請求項１８記載の発明は、請求項１７記載の血液管理システムに係り、上記識別情報は、上記ランク付け要素に応じて固定又は可変であることを特徴としている。
【００２７】
請求項１９記載の発明は、請求項１４乃至１８のいずれか一に記載の血液管理システムに係り、上記識別情報は、上記提供において、上記登録者の同定と上記容器の仕分けに用いることを特徴としている。
【発明の効果】
【００２８】
この発明の構成によれば、血液提供管理団体からの献血依頼の配信要求に基づいて端末管理システムにおいて登録者毎のランク付けを表す識別情報を付与し、付与された識別情報に基づいて登録者への献血依頼の配信を行うので、献血依頼を識別情報に基づく適切な配信、すなわち、既登録献血者への献血依頼の配信を各種のランク付け要素を考慮に入れた柔軟な配信を行うことができる。
また、この献血依頼の配信を受信した登録者によって献血された血液を入れた容器に識別情報が付されると共に、その識別情報が血液提供管理団体の受信端末装置に返信され、血液提供管理団体において容器から読み取られる識別情報、上記返信された識別情報及び端末管理システムからの識別情報に基づいて血液提供管理団体から病院等へ血液が提供されるので、血液の適切な提供、すなわち、必要にして十分な血液の応急的な確保から恒常的な確保までをも適正にしてその提供に対処し得る。
【発明を実施するための最良の形態】
【００２９】
血液提供管理団体からの献血依頼の配信要求が端末管理システムへ送信され、その配信要求に基づいて端末管理システムにおいて登録者毎のランク付けを表す識別情報の付与を施行し、付与された識別情報に基づいて登録者への献血依頼の配信を行うようにして構成される。
また、上記献血依頼の配信を受信した登録者によって献血された血液を入れた容器に識別情報を付与し、その識別情報を血液提供管理団体の受信端末装置に返信し、血液提供管理団体において容器から読み取られる識別情報、上記返信された識別情報及び端末管理システムからの識別情報に基づく血液提供管理団体から病院等への血液の提供を行うようにして構成される。
【実施例１】
【００３０】
図１は、この発明の実施例１である血液管理システムの電気的構成を示す図、図２は、同血液管理システムにおける無線端末管理システムと献血者のＰＣ／携帯電話機等との間の処理の流れを示す図、図３は、同血液管理システムにおける献血会場で献血される血液のＩＤの流れを示す図、また、図４は、同血液管理システムにおける献血会場で献血された血液のＩＤの流れと該血液の搬送についての流れを示す図である。
【００３１】
この実施例の血液管理システム１０は、献血した登録者毎のランク付けを表すＩＤ（識別情報）を用いて献血依頼の適切な配信の管理（一元管理）及びその配信を受けての血液の適切な提供を行い得るシステムに係り、血液提供管理団体（日本赤十社等）のメール・記録機能付携帯電話機等１２と、無線端末管理システム１４と、献血者が保有するＰＣ／携帯電話機等１６Ｘ、１６Ｙと、献血会場に設置されているＰＣ／携帯電話機等１８とから構成されている。
【００３２】
メール・記録機能付携帯電話機等１２は、携帯電話機のほか、ＰＣ（Ｐersonal Ｃomputer）やＰＤＡ（Ｐersonal Ｄigital Ａssistants）等の情報端末装置でもよく、無線端末管理システム１４と接続可能で、血液提供管理団体において献血の必要性が生じる毎に献血依頼の配信要求の情報を無線端末システム１４に送信するように構成されている。
【００３３】
無線端末管理システム１４は、携帯電話キャリア、ＮＴＴドコモ等の通信事業者に設けられるシステムで、メール・記録機能付携帯電話機等１２からの献血依頼の発信要求の受信時に、その要求情報に加えて当該システムで管理している既登録献血者（登録者）の個人情報及び血液情報に基づいて既登録献血者のランク付けを表すＩＤ（識別情報）を生成する。そのＩＤに基づいて献血依頼の配信をＰＣ／携帯端末装置１６Ｘ、１６Ｙに行う。
【００３４】
ＰＣ／携帯電話機等１６Ｘ、１６Ｙは、携帯電話機のほか、ＰＣやＰＤＡでもよく、無線端末管理システム１４と接続可能で、献血依頼の配信に際して個人認証データを無線端末管理システム１４へ送信し、無線端末管理システム１４から返送されて来る献血依頼の各種データを受信するように構成されている。
【００３５】
ＰＣ／携帯電話機等１８は、携帯電話機のほか、ＰＣやＰＤＡでもよく、無線端末管理システム１４と接続可能で、最初の献血又は２回目以降の献血に際して、その者の個人情報のほか、その場で採血された血液の血液情報を無線端末管理システム１４に送信する。
また、ＰＣ／携帯電話機等１８は、無線端末管理システム１４へ送信する各情報をメール・記録機能付携帯電話機等１２へ送信して献血依頼の配信要求の送信時に、献血依頼の配信要求情報の１つとして前回の献血者のリストを無線端末管理システム１４へ送信するように構成してもよい。
【００３６】
上記における個人情報としては、名前、住所、会場で献血を希望する時間帯、個人認証データ等があり、血液情報としては、血液型、ＲＨ型のほかサイトメガロウィルス（ＣＭＶ）の陰性陽性、各種ウィルス感染等がある。また、個人情報には、２回目以降の献血の場合には、後述する電子メールに付される識別情報（ＩＤ）が含まれる。
個人認証データには、指紋認証データ及び瞳光彩データがあり、指紋認証データは、ＰＣ／携帯電話機等１８に装備の指紋採取機能により取得されるデータであり、また、瞳光彩データは、ＰＣ／携帯電話機等１８に装備の瞳光彩採取機能により取得した情報である。
【００３７】
次に、図１乃至図４を参照して、この実施例の処理について説明する。
血液管理システム１０への献血者の登録について、先ず説明する。
血液管理システム１０に初期的に献血を申し出る者は、血液管理システム１０を維持管理する血液提供管理団体が設置する献血会場に赴き、その者の個人情報のほか、その場で採血された血液の血液情報を献血会場のＰＣ／携帯電話機等１８から無線端末管理システム１４に送信する。
このようにして、献血者の登録が血液管理システム１０に対して行われる。
【００３８】
以下の説明においては、上述のようにして血液管理システム１０の無線端末管理システム１４において複数の献血者の個人情報及び血液情報が既に管理されている状態にあるとの前提において説明を進める。
血液管理システム１０の携帯電話機等１２から無線端末管理システム１４に献血の配信依頼要求が発信される（図１の３１）。
【００３９】
配信依頼要求を受信した無線端末管理システム１４は、そこで管理されている複数の登録者（既登録献血者ともいう）の個人情報及び血液情報と、配信依頼要求に含まれている要求情報とに基づいて登録者の全部又は一部の者が保有するＰＣ／携帯端末装置１６に対して献血の依頼の配信を次のようにして行う。ここでいう配信の要求情報には、血液総量及び血液型である。
【００４０】
無線端末管理システム１４は、上記配信依頼要求の受信時刻に、既に登録されている登録者についてそれら登録者の個人情報及び血液情報と、配信依頼要求に含まれている要求情報とに基づく査定をして登録者のランク付けをする。
このランク付けは、各献血会場のＰＣ／携帯電話機等１８から無線携帯端末管理システム１４に送信されて来ている各登録者をリストアップし、各登録者の個人情報のうちの時間帯、血液情報（血液型、各種ウィルス感染等）、配信依頼要求発生時に必要としている血液総量、血液型及び血液品質を確保するのに必要な員数の登録者が居住する地域に基づいて行う。
例えば、優良登録者（優良血液提供者）Ｙに対してはＩＤ「Ｙ００１」を割り振り、一般登録者（一般血液提供者）に対してはＩＤ「Ｘ００１」を割り振る。
このようにして付与されたＩＤは、従来の登録者コードに取って代わる情報であり、このＩＤにより、爾後、個人情報を一元的に管理する。
【００４１】
各登録者に対する上述のようなＩＤの付与を行った無線端末管理システム１４で、そのＩＤに基づく献血依頼の配信を既登録献血者のＰＣ／携帯電話機等１６Ｘ、１６Ｙに行う。
その配信において、先ず、ＰＣ／携帯電話機等１６Ｘ、１６Ｙを保有する登録者の個人認証が行われる。この個人認証は、初回においては、パスワードの代わりになる登録者の個人認証データをＰＣ／携帯電話機等１６Ｘ、１６Ｙから無線端末管理システム１４に送信して無線端末管理システム１４に既に登録済の個人認証データと照合して登録者の認証を行う（図２の３１Ｘ、３１Ｙ）。２回目以降は、個人認証データのほかにその登録者のＩＤも無線端末管理システム１４へ送信される。
【００４２】
この認証が得られれば、当該登録者のＰＣ／携帯電話機等１６Ｘ、１６Ｙに対して献血の依頼を電子メール（文字情報）で送信する。その電子メールには上述のＩＤを付する（図２の３３Ｘ、３３Ｙ）。
電子メールに付されるＩＤが、例えば、「Ｙ００１」であれば、その献血依頼の配信は、優良血液提供者（優良登録者）のＰＣ／携帯電話機等１６Ｙに対して為され（図１の３２Ｙ、図２の３３Ｙ）、電子メールに付されるＩＤが、例えば、「Ｘ００１」であれば、その献血依頼の配信は、一般血液提供者（一般登録者）のＰＣ／携帯電話機等１６Ｘに対して為される（図１の３２Ｘ、図２の３３Ｘ）。
電子メールの内容としては、個人情報の内容としてある住所との関係で決まる献血会場（血液の採取場所）１９及び当該採取場所１９で血液を採血する時間帯等である。
上記電子メール及びＩＤは、また、ＰＣ／携帯電話機等１２及びＰＣ／携帯電話機等１８にも送信される（図４の３５Ｘ，３５Ｙ、３６Ｘ，３６Ｙ）。
【００４３】
このようにして、電子メールで献血の依頼を受けた既登録献血者は、自己のＰＣ／携帯電話機等１６Ｘ、又は、１６Ｙを用いて電子メールで指定の献血会場のＰＣ／携帯電話機等１８とその献血についての予約や連絡を取る。
その連絡方法としては、無線端末管理システム１４からの文字情報を転送する形式を採り、献血会場１９のＰＣ／携帯電話機等１８に無線端末管理システム１４から先に送信されて来ているＩＤが正確に反映され得る方法とする。
【００４４】
依頼を受けた既登録献血者は、その依頼で指定される献血会場１９に赴き、献血をする。その血液は、既登録献血者自身に付与されているＩＤで識別される（図３の３４Ｘ、３４Ｙ）。
献血会場１９では、予約受付に基づく献血の実施をするほか、無線端末管理システム１４から受信されているＩＤと個人問診結果の既登録献血者のＩＤを照合して（確認処理）血液の安全性をチェックすることに加えて、献血後の安全申告（血液の安全性確保のための血液履歴管理）も行って血液の安全性向上のためのチェックを行う。安全申告には、不特定多数の異性間交渉、同姓間交渉、不法薬物の使用、ＨＩＶポジティブ等も含まれる。その申告は、電子メール、ＣＧＩ等を介しても可能にする。申告の促進を図るためである。
【００４５】
このような安全性チェックをＩＤで識別されつつ行われた血液は所定の容器に封入され、その容器にＩＤが付され、容器は献血会場から血液提供管理団体へ輸送される。
それと共に、そのＩＤも、ＰＣ／携帯電話機等１８から血液提供管理団体のＰＣ／携帯電話機等１２に送信される。
容器に付されているＩＤは、血液提供管理団体に用意されているＩＤ読み取り装置によって読み取られる。
容器から読み取られたＩＤと、ＰＣ／携帯電話機等１８からのＩＤと、無線端末管理システム１４からのＩＤとの照合をして既登録献血者の本人確認（血液の安全性確保のための確認）を行い、照合が得られたＩＤについての血液が血液提供管理団体から輸血実施者である病院等へ上記ＩＤの識別の下に提供される。
【００４６】
例えば、優良登録者の血液（ＩＤ：Ｙ００１）は、血友病患者等の手術に、また、一般登録者の血液（ＩＤ：Ｘ００１）は、一般患者の手術に用いられる。
これをより具体的に言えば、より日和見感染の可能性の少ないＣＭＶ陰性の血液は、血友病患者の手術等に提供し、逆に日和見感染の可能性の少ない患者にはＣＭＶ陽性の一般血液を提供する等の振り分けを行ってその血液を患者に提供する。
【００４７】
このように、この実施例の構成によれば、血液提供管理団体からの献血依頼の配信要求に基づいて無線端末管理システムが既登録の献血者毎のランク付けをしてその個人認証を含むＩＤに基づいて既登録献血者のＰＣ／携帯電話機等への献血依頼の配信を行うので、献血依頼を、献血手帳でなく、ＩＤに基づく適切な配信、すなわち、既登録献血者への献血依頼の配信を各種のランク付け要素を考慮に入れた柔軟な配信を行うことができる。
この献血依頼の配信を受信した既登録の献血者が献血会場に赴いて献血し、その献血に係るＩＤが献血会場のＰＣ／携帯電話機等から血液提供管理団体の携帯電話機等へ送信され、血液提供管理団体において献血された容器から読み取られるＩＤと、上記送信されて来たＩＤと無線端末管理システムへ送信されて来たＩＤに基づいて血液提供管理団体から病院等へ提供される血液の振り分けを行うので、血液の適切な提供、すなわち、必要にして十分な血液の応急的な確保から恒常的な確保までをも適正にしてその提供に対処し得る。
【００４８】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、登録者の情報端末装置は、携帯電話機等の携帯情報端末装置でなくてもよい。それに応じて、既登録献血者毎のランク付けを行う端末管理システムも、必ずしも無線端末管理システムでなく、インターネットを含む端末管理システムであってもよい。
【００４９】
登録者のリストをメール・記録機能付携帯電話機等１２から無線端末管理システム１４へ送信される要求情報の一部とするように構成してよい。
また、既登録献血者のランク付け要素として、上述した各要素以外の要素を考慮に入れてランク付けをするようにしてもよい。
また、上述のランク付け要素には、可変的要素を含むが、その予め決められる範囲で一定とするようにしてランク付けの考慮に入れるようにしてもよい。
【産業上の利用可能性】
【００５０】
ここに開示している献血依頼配信方法及びそのシステム並びに血液管理方法及びそのシステムは、上述した血液と同等の対象物にも適用して実施することが可能である。
【図面の簡単な説明】
【００５１】
【図１】この発明の実施例１である血液管理システムの電気的構成を示す図である。
【図２】同血液管理システムにおける無線端末管理システムと献血者のＰＣ／携帯電話機等との間の処理の流れを示す図である。
【図３】同血液管理システムにおける献血会場で献血される血液のＩＤの流れを示す図である。
【図４】同血液管理システムにおける献血会場で献血された血液のＩＤの流れと該血液の搬送についての流れを示す図である。
【符号の説明】
【００５２】
１２      メール・記録機能付携帯電話機等（発信端末装置、受信端末装置、血液チェック手段）
１４      無線端末管理システム（端末管理システム、付与手段）
１６Ｘ、１６Ｙ      ＰＣ／携帯電話機等（登録者の端末装置）
１８      ＰＣ／携帯電話機等（送信端末装置）
【図１】
2006040147.tif 000003
【図２】
2006040147.tif 000004
【図３】
2006040147.tif 000005
【図４】
2006040147.tif 000006